【手続補正書】
【提出日】平成27年4月27日(2015.4.27)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】０００１
【補正方法】変更
【補正の内容】
【０００１】
本発明はインクを記録媒体に吐出して記録を行う記録装置に関する。
【手続補正３】
【補正対象書類名】明細書
【補正対象項目名】０００５
【補正方法】変更
【補正の内容】
【０００５】
そこで本発明は、キャリッジの姿勢変動を抑制しインクの着弾精度を向上させつつ、かつＨＰ間距離の極狭化が可能となる、より高画質な量産性のある大判の記録装置を提供することを目的とする。
【手続補正４】
【補正対象書類名】明細書
【補正対象項目名】０００６
【補正方法】変更
【補正の内容】
【０００６】
そのため本発明の記録装置は、記録ヘッドを搭載し、第１の方向に移動するキャリッジと、前記キャリッジを前記第１の方向に案内するメインレールと、前記キャリッジを前記第１の方向に案内するサブレールと、前記第１の方向と交差する第２の方向に搬送される記録媒体を支持するプラテンと、を備える記録装置であって、前記メインレールと前記サブレールを支持するレール支持台と、前記キャリッジを前記メインレールと前記サブレールに組み付けた状態で、前記レール支持台を前記第１の方向および前記第２の方向と交差する第３の方向に調整するレール支持台調整機構と、前記第１の方向の複数箇所において前記メインレールの位置を調整するメインレール調整機構と、前記第１の方向の複数箇所において前記サブレールの位置を調整するサブレール調整機構と、を備えることを特徴とする。
【手続補正５】
【補正対象書類名】明細書
【補正対象項目名】０００７
【補正方法】変更
【補正の内容】
【０００７】
本発明によれば記録装置は、プラテンの主走査方向における撓みに合わせて、メインレールとサブレールの位置を調整する複数のレール支持台調整機構を備える。更に記録装置は、メインレールの位置を主走査方向に亘って複数個所で調整するメインレール調整機構と、サブレールの位置を主走査方向に亘って複数個所で調整するサブレール調整機構とを備える。これによって、キャリッジの姿勢変動を抑制しインクの着弾精度を向上させつつ、かつＨＰ間距離の極狭化が可能となり、より高画質な量産性のある大判の記録装置を実現することができる。
【手続補正６】
【補正対象書類名】明細書
【補正対象項目名】００１０
【補正方法】変更
【補正の内容】
【００１０】
インクジェット記録装置は、図１の矢印Ｘ方向に往復動するキャリッジ５２を備えている。キャリッジ５２はヘッドホルダ５３を備えており、このヘッドホルダ５３には、インクを吐出可能な記録ヘッド５１（記録部）が着脱自在に装着される。記録ヘッド５１には、不図示のインクタンクユニットから不図示のインク供給チュ−ブを経由してインクが供給される。また、インクジェット記録装置は、キャリッジモータ１１４と記録媒体搬送モータ１１０とを備えている。キャリッジモータ１１４は、記録ヘッド５１を主走査方向Ｘに往復動するためのモータであり、記録ヘッド５１を搭載したキャリッジ５２が主走査方向Ｘに沿って左右に移動する（摺動可能である）。キャリッジモータ１１４の回転軸にはプーリ２１０が設けられており、このプーリ２１０にはタイミングベルト２１１が張った状態で掛けられており、タイミングベルト２１１にはキャリッジ５２が接続されている。これによりキャリッジモータ１１４が正逆方向に回転することにより、キャリッジ５２がメインレール５７に案内されてプラテン２１上空を平行に移動する。記録媒体搬送モータ１１０は、記録媒体であるロール紙８２を副走査方向Ｙに搬送するためのモータである。記録媒体搬送モータ１１０は不図示のタイミングベルトによって、従動ローラであるピンチローラ１１とローラ対をなす搬送ローラ１２を回転駆動させる。エンコーダフィルム２１２は、搬送ローラ１２と一体化されており、エンコーダフィルム２１２全周にあるスリットを読み取るための不図示のエンコーダセンサにより、搬送ローラ１２の回転量をフィードバック制御する。このように、主走査方向に往復運動するキャリッジ５２の動作に伴う記録ヘッド５１による走査と、ロール紙８２を所定量ずつ引き出しながら副走査方向に搬送する搬送ローラ１２の動作とが各々交互に動作することで目的とする画像形成を達成する。
【手続補正７】
【補正対象書類名】明細書
【補正対象項目名】００１１
【補正方法】変更
【補正の内容】
【００１１】
本発明を適用できるインクジェット記録装置の第１の実施形態に係る装置全体の概略構成を例示した斜視図が図１である。図１はあくまでも、装置全体を模式的に記載したものであり、後述するレール支持台６１、サブレール５８などの表示は省略している。
【手続補正８】
【補正対象書類名】特許請求の範囲
【補正対象項目名】全文
【補正方法】変更
【補正の内容】
【特許請求の範囲】
【請求項１】
記録ヘッドを搭載し、第１の方向に移動するキャリッジと、
前記キャリッジを前記第１の方向に案内するメインレールと、
前記キャリッジを前記第１の方向に案内するサブレールと、
前記第１の方向と交差する第２の方向に搬送される記録媒体を支持するプラテンと、を備える記録装置であって、
前記メインレールと前記サブレールを支持するレール支持台と、
前記キャリッジを前記メインレールと前記サブレールに組み付けた状態で、前記レール支持台を前記第１の方向および前記第２の方向と交差する第３の方向に調整するレール支持台調整機構と、
前記第１の方向の複数箇所において前記メインレールの位置を調整するメインレール調整機構と、
前記第１の方向の複数箇所において前記サブレールの位置を調整するサブレール調整機構と、を備えることを特徴とする記録装置。
【請求項２】
前記メインレール調整機構による調整と前記サブレール調整機構による調整の際には、前記第１の方向における前記記録ヘッドが記録可能な記録領域の中央部に前記キャリッジを配置させることを特徴とする請求項１に記載の記録装置。
【請求項３】
前記レール支持台調整機構は、前記第１の方向における前記メインレールの両端部および中央部に設けられていることを特徴とする請求項１または請求項２に記載の記録装置。
【請求項４】
前記レール支持台調整機構は、前記メインレールと前記サブレールの前記プラテンに対する垂直方向の位置を調整することを特徴とする請求項１ないし請求項３のいずれか１項に記載の記録装置。
【請求項５】
前記第１の方向における前記メインレールの両端部および中央部に設けられた前記レール支持台調整機構は、前記記録ヘッドが記録可能な前記記録領域の中央部に前記キャリッジが配置された際に、前記キャリッジの前記第１の方向の両端部の位置に設けられていることを特徴とする請求項３または請求項４に記載の記録装置。
【請求項６】
前記レール支持台調整機構は、前記プラテンの重力方向の湾曲量に合わせて、前記メインレールの重力方向の湾曲量と、前記サブレールの重力方向の湾曲量と、を調整可能であることを特徴とする請求項１ないし請求項５のいずれか１項に記載の記録装置。
【請求項７】
前記メインレール調整機構は、前記メインレールを直接支持する第１のメインレール支持部材と、該第１のメインレール支持部材を直接支持する第２のメインレール支持部材とを備え、前記第１のメインレール支持部材と前記第２のメインレール支持部材との接触面は、支持している前記メインレールの軸方向に対して傾いた、傾斜面であることを特徴とする請求項１ないし請求項６のいずれか１項に記載の記録装置。
【請求項８】
前記メインレール調整機構は、前記第１のメインレール支持部材に対して前記第２のメインレール支持部材が相対移動することで前記第２のメインレール支持部材の傾斜面が前記第１のメインレール支持部材の傾斜面に対してスライドして、前記第１のメインレール支持部材の高さを変化させることを特徴とする請求項７に記載の記録装置。
【請求項９】
前記第１のメインレール支持部材は、前記第２のメインレール支持部材に対して前記第２の方向に移動可能であり、前記傾斜面は前記第２の方向に同一の高さであることを特徴とする請求項８に記載の記録装置。
【請求項１０】
前記第１のメインレール支持部材に対する前記第２のメインレール支持部材の相対移動は、前記第２のメインレール支持部材の回動による移動であることを特徴とする請求項８または請求項９に記載の記録装置。